(57)【特許請求の範囲】
【請求項１】
洗面化粧台のキャビネットに前方に開口した収納部を設け、該収納部に椅子ユニットを出し入れ自在に収納し、該椅子ユニットに前方に開口した引出し収納部を設けると共に引出し収納部に引出しを引出し自在に収納し、椅子ユニットの前面部に上下移動自在な前部材を設け、椅子ユニットを収納部に収納した状態で前部材の一方への移動により前部材に設けた椅子用ロック部をキャビネットの椅子用被ロック部にロックすると共に、椅子ユニットを収納部に収納した状態で前部材の他方への移動により椅子用ロック部の椅子用被ロック部へのロックを解除して椅子ユニットを前方に引出し自在とし、前部材に引出しロック部を設け、前部材の一方向への移動状態で引出しロック部による引出しのロックを解除して引出しを前後に移動自在とすると共に、前部材の他方向の移動状態で引出しロック部で引出しの前後方向の移動をロックするようにして成ることを特徴とする洗面化粧台。
【請求項２】
下端にキャスタを設けた椅子ユニットの下面の下方の空間を下収納部とし、下収納部に下面にキャスタを設けた体重計収納台を出し入れ自在に収納し、体重計収納台に上方が開口した体重計を収納した体重計収納凹所を形成し、体重計収納台に体重計収納凹所の上開口を開閉自在とする蓋兼踏板を設けて成ることを特徴とする請求項１記載の洗面化粧台。
【請求項３】
蓋兼踏板の端部に下方に向けて脚片を垂設し、蓋兼踏板がばね材により上方に弾性付勢されて下収納部に体重計収納台を収納した状態で脚片の下端が床面よりも上方に離れると共に蓋兼踏板が椅子ユニットの下面に弾接するように構成し、体重計収納台を下収納部から引出して蓋兼踏板の上にばね材に抗して荷重をかけることで脚片の下端が床面に当接するように構成してあることを特徴とする請求項２記載の洗面化粧台。
【請求項４】
体重計収納凹所に収納した体重計の上に荷重をかけることで、下面にキャスタを設けた体重計収納台の移動をロックするための体重計収納台ロック手段を設けて成ることを特徴とする請求項２又は請求項３記載の洗面化粧台。
【発明の詳細な説明】
【技術分野】
【０００１】
本発明は、椅子ユニットを引出し自在とした洗面化粧台に関するものである。
【背景技術】
【０００２】
従来から洗面化粧台のキャビネットに前方に開口した収納部を設け、該収納部に椅子ユニットを出し入れ自在に収納し、椅子ユニットをキャビネットから引出して椅子ユニットの上面に座ることで洗面化粧台に向かって化粧等を行なうことができるようにしたものが特許文献１により知られている。
【０００３】
上記特許文献１に示された従来例にあっては、観音開き状となった開き戸を備えた収納部を設けてある。
【０００４】
ところで、上記従来例にあって、洗面化粧台のキャビネットの収納部に椅子ユニットを収納した状態で、開き戸を空ける操作をする際に、収納部から椅子ユニットが前方に引出されるおそれがある。
【０００５】
また、椅子ユニットを収納部から引出した状態でも開き戸が開くおそれがあり、開き戸を傷付けるおそれがある。
【０００６】
上記従来では椅子ユニットには引出しを設けてないが、仮に、椅子ユニットに引出しを設けた場合、椅子ユニットを引出した際に引出しが引出せるので、このような場合は引出しの重みで椅子ユニット自体が前方に倒れるおそれがある。したがって、従来にあっては、椅子ユニットに設ける収納構造として引出しを出し入れ自在に設けるものは採用できなかった。
【０００７】
また、体重計を洗面化粧台のキャビネット内に出し入れ自在に収納することは従来から行なわれているが、キャビネットに椅子ユニットと、体重計収納台とを出し入れ自在に収納するものは従来存在しなかった。
【特許文献１】特開平８−１４０８７２号公報
【発明の開示】
【発明が解決しようとする課題】
【０００８】
本発明は上記の従来の問題点に鑑みて発明したものであって、椅子ユニットを収納して椅子ユニットが引出せないようにロックした状態で引出しの出し入れ操作ができて、引出しの出し入れ操作の際に椅子ユニットが誤って引出されることがなく、また、椅子ユニットを引出して椅子として使用する際は引出しを出し入れすることができず、誤って引出しが飛び出して椅子ユニットが傾いたりするのを防止でき、また、椅子ユニットと体重計収納台とをキャビネットに収納できて、必要に応じて椅子として使用したり、体重を計ったりすることができ、また、体重計収納台を踏み台としても使用することが可能で、更に、体重計として使用する際に、体重をかけると体重計収納台が移動せずに安定して体重を測定することが可能となる洗面化粧台を提供することを課題とするものである。
【課題を解決するための手段】
【０００９】
上記課題を解決するために本発明に係る洗面化粧台は、洗面化粧台１のキャビネット２に前方に開口した収納部３を設け、該収納部３に椅子ユニット４を出し入れ自在に収納し、該椅子ユニット４に前方に開口した引出し収納部５を設けると共に引出し収納部５に引出し６を引出し自在に収納し、椅子ユニット４の前面部に上下移動自在な前部材７を設け、椅子ユニット４を収納部３に収納した状態で前部材７の一方への移動により前部材７に設けた椅子用ロック部８をキャビネット２の椅子用被ロック部９にロックすると共に、収納状態で椅子ユニット４を収納部３に収納した状態で前部材７の他方への移動により椅子用ロック部８の椅子用被ロック部９へのロックを解除して椅子ユニット４を前方に引出し自在とし、前部材７に引出しロック部１０を設け、前部材７の一方向への移動状態で引出しロック部１０による引出しのロックを解除して引出し６を前後に移動自在とすると共に、前部材７の他方向の移動状態で引出しロック部１０で引出しの前後方向の移動をロックするようにして成ることを特徴とするものである。
【００１０】
このような構成とすることで、洗面化粧台１のキャビネット２に設けた収納部３に椅子ユニット４を収納した状態で、前部材７を一方向に移動して椅子用ロック部８を椅子用被ロック部９にロックすることで、椅子ユニット４がキャビネット２から引き出せないようにすると共に引出し６が引出し可能となるので、この状態で引出し６を出し入れしても、椅子ユニット４が誤って引出されることがなく、安定して引出し６の出し入れ操作ができる。また、椅子ユニット４を引出して椅子として使用する場合は、前部材７を他方向に移動することで、椅子用ロック部８と椅子用被ロック部９とのロックを解除できると共に引出し６が椅子ユニット４から引き出せないようにロックでき、したがって、この状態で椅子ユニット４を引出して椅子として使用する際、誤って引出し６が飛び出して椅子ユニット４が傾くのを防止できる。
【００１１】
また、下端にキャスタ１１を設けた椅子ユニット４の下面の下方の空間を下収納部４０とし、下収納部４０に下面にキャスタ１３を設けた体重計収納台１４を出し入れ自在に収納し、体重計収納台１４に上方が開口した体重計１５を収納した体重計収納凹所１６を形成し、体重計収納台１４に体重計収納凹所１６の上開口１８を開閉自在とする蓋兼踏板１７を設けることが好ましい。
【００１２】
このような構成とすることで、椅子ユニット４と体重計収納台１４とを共にキャビネット２に収納できて、必要に応じて椅子として使用したり、体重を計ったりすることができ、使用しない時は、キャビネット２に椅子ユニット４と体重計収納台１４とをコンパクトに収納できる。
【００１３】
また、蓋兼踏板１７の端部に下方に向けて脚片１９を垂設し、蓋兼踏板１７がばね材２０により上方に弾性付勢されて下収納部４０に体重計収納台１４を収納した状態で脚片１９の下端が床面１２よりも上方に離れると共に蓋兼踏板１７が椅子ユニット４の下面に弾接するように構成し、体重計収納台１４を下収納部４０から引出して蓋兼踏板１７の上にばね材２０に抗して荷重をかけることで脚片１９の下端が床面１２に当接するように構成してあることが好ましい。
【００１４】
このような構成とすることで、椅子ユニット４をキャビネット２の収納部３に出し入れする際に同時に体重計収納台１４を出し入れできる。また、椅子ユニット４を引出した後に椅子ユニット４から更に体重計収納台１４を引出して蓋兼踏板１７上に乗って体重計収納台１４を踏み台として使用することができ、この場合、人が乗ることで脚片１９の下端が床面１２に当接して体重計収納台１４が移動するのが防止され、踏み台として安定して使用することができる。
【００１５】
また、体重計収納凹所１６に収納した体重計１５の上に荷重をかけることで、下面にキャスタ１３を設けた体重計収納台１４の移動をロックするための体重計収納台ロック手段２１を設けることが好ましい。
【００１６】
このような構成とすることで、蓋兼踏板１７を開いて体重計収納凹所１６に収納した体重計１５に乗ることで、体重計収納台ロック手段２１により体重計収納台１４が移動しないようにロックされ、安定して体重計１５で体重測定ができる。
【発明の効果】
【００１７】
本発明は、キャビネットの収納部に椅子ユニットを収納して椅子ユニットが引出せないようにロックした状態で引出しの出し入れ操作ができて、引出しの出し入れ操作の際に椅子ユニットが誤って引出されることがなく、また、椅子ユニットをキャビネットから引出して椅子として使用する際は引出しがロックされて出し入れすることができず、誤って引出しが飛び出して椅子ユニットが傾いたりするのを防止できて、安定して椅子として使用することができる。
【発明を実施するための最良の形態】
【００１８】
以下、本発明を添付図面に示す実施形態に基いて説明する。
【００１９】
図１（ａ）、図２（ａ）に示すように、洗面化粧台１の主体を構成するキャビネット２は上端部に洗面ボール２２を備えたカウンター２３を備えており、また、キャビネット２には椅子ユニット４を出し入れ自在に収納するための収納部３が設けてある。この収納部３は前方及び下方に開口しており、洗面化粧台１を設置する部屋の床面１２の一部が収納部３の底面１２ａを構成している。したがって、床面１２と収納部３の底面１２ａとは面一に連続している。収納部３の前開口の上端部にはカウンター２３の前端部から下方に垂設した前垂部２４が設けてある。
【００２０】
椅子ユニット４は、上面部が座部２５となり且つ下端部にキャスタ１１を設けた箱体２６と、箱体２６に前方に出し入れ自在に収納した引出し６と、箱体２６の前面に上下方向に移動自在に取付けた前部材７とで構成してある。
【００２１】
前部材７は板状をした引出し前板部７ａの左右両端部から下方にガイドバー７ｂを垂設して門型形状に形成してあり、引出し前板部７ａの前面には把手７ｃが設けてある。また、左右両端部に垂設したガイドバー７ｂは箱体２６の前面の左右両端部に設けた縦方向のレール２７に対して上下方向にスライド自在に取付けてある。図１（ｂ）、図２（ｂ）に示すようにレール２７の下部にはストッパ部材２８が取付けてあり、該ストッパ部材２８はばねにより前方に弾性付勢してあって、図２（ｂ）のようにガイドバー７ｂを下降させて下端背面部をストッパ部材２８の前面に押し当てた状態ではばねによる押圧力でガイドバー７ｂを下降位置で停止して下方への落下を防止するようになっている。また、図１（ｂ）のようにガイドバー７ｂを上方に引き上げた場合、ストッパ部材２８が前方に突出してガイドバー７ｂの下端に当たってガイドバー７ｂを上昇位置で停止するようになっている。
【００２２】
図５に示すようにガイドバー７ｂには逆Ｌ字状をした引出しロック部１０が突設してあり、ガイドバー７ｂを下降させた状態では図５（ｄ）のように逆Ｌ字状をした引出しロック部１０が引出し６の側板６ａの内面に沿って上方から差し込まれることで側板６ａを挟持することで引出し６がロックされるようになっており、ガイドバー７ｂを上昇させると図５（ｃ）のように、引出しロック部１０が引出し６の側板６ａよりも上方に移動して引出し６のロックを解除して引出し６の引出し操作を可能とするようになっている。
【００２３】
また、前部材７の上端部は椅子用ロック部８となっており、前垂部２４の下端部の裏面が椅子用被ロック部９となっており、前部材７を下降した状態で椅子ユニット４を収納部３に収納し、その後、前部材７を上方に引き上げることで図１（ａ）に示すように前部材７の上端部の椅子用ロック部８が対向近接してロック状態となる。このロック状態で椅子ユニット４を前方に引出そうとしても椅子用ロック部８が椅子用被ロック部９に当たって引出すことができないようになっている。
【００２４】
したがって、椅子ユニット４を使用しない場合は、図１（ａ）のように洗面化粧台１のキャビネット２に設けた収納部３に椅子ユニット４を収納した状態で、前部材７を上方に移動して椅子用ロック部８を椅子用被ロック部９にロックすることで、椅子ユニット４がキャビネット２から引き出せないようにすると共に、引出しロック部１０を引出し６の側板６ａよりも上方に移動して引出し６のロックを解除するものである。この状態で引出し６を引出して内部に収納している小物を出し入れするものであり、この場合、椅子ユニット４がロックされているので、引出し６の操作をしている際に椅子ユニット４が誤って引出されることがない。
【００２５】
一方、椅子ユニット４を引出して椅子として使用する場合には、図２（ａ）に示すように前部材７を下方に移動して椅子用ロック部８と椅子用被ロック部９とのロックを解除することで、図４のように椅子ユニット４をキャビネット２から引き出して椅子として利用できる。この場合、前部材７を下方に移動することで引出しロック部１０が引出し６の側板６ａを挟持してロックすることで引出し６が引出せない状態となり、このため、椅子ユニット４をキャビネット２から引出して椅子として利用する際、引出し６を引出して椅子ユニット４が前方に倒れるのが防止され、椅子ユニット４の移動や椅子ユニット４の椅子としての使用が引出し６に邪魔されることなくできる。つまり、椅子ユニット４を引出した場合、引出し６がロックしてないと、図１０のように引出し６が前方にスライドして引き出し６の重みで椅子ユニット４が前に傾くおそれがあるが、上記のように椅子ユニット４を引出すに当たって引出し６が自動的にロックされるので、このようなおそれがない。
【００２６】
ところで、椅子ユニット４の主体を構成する箱体２６の両側板の下部は下方に突出していてこの両側板の下端面にキャスタ１１が取付けてある。この椅子ユニット４の下面より下方の空間が体重計収納台１４を出し入れ自在に収納するための下収納部となっている。
【００２７】
図６乃至図８に示すように体重計収納台１４は、下面にキャスタ１３を設けてあり、更に、内部が体重計収納凹所１６となっており、この体重計収納凹所１６内に体重計１５が収納してあり、また、体重計収納凹所１６の上開口１８を開閉自在とする蓋兼踏板１７を設けてある。
【００２８】
上記蓋兼踏板１７は体重計収納台１４に対して一端部を回動自在に軸支したり、あるいは、体重計収納台１４に対して上下移動自在且つ着脱自在に取付けてある。蓋兼踏板１７の端部には下方に向けて脚片１９が垂設してあり、体重計収納台１４に対して上回動自在又は上下移動自在に取付けた蓋兼踏板１７がばね材２０により上方に弾性付勢してある。
【００２９】
この体重計収納台１４は椅子ユニット４の箱体２６の下面よりも下方に配置自在となっており、体重計収納台１４は椅子ユニット４の箱体２６の下面側に配置した状態では、図１（ａ）、図２（ａ）に示すように、下収納部４０に体重計収納台１４を収納した状態で脚片１９の下端が下収納部４０の底面１２ａよりも上方に離れると共に蓋兼踏板１７が椅子ユニット４の下面に弾接するように構成してある。したがって、椅子ユニット４を移動すると椅子ユニット４の下面に蓋兼踏板１７が弾接しているため体重計収納台１４も椅子ユニット４と共に移動するようになっている。体重計収納台１４を椅子ユニット４から脱離するには体重計収納台１４の前面に設けた把手部１４ａを手に持って引出すことで脱離させることができる。
【００３０】
体重計収納台１４は図７に示すように蓋兼踏板１７上に人が乗ることで踏台として使用することができ、この場合、人の荷重が蓋兼踏板１７にかかってばね材２０を縮め、脚片１９の下端が床面１２に当接するものであり、これにより、キャスタ１３により体重計収納台１４が動かず、安定して踏台として使用することができる。
【００３１】
体重計収納凹所１６に体重計１５を収納するに当たっては、図９に示すように体重計収納凹所１６の底部２９上にばね３０を介して受板３１を上下移動自在に載置してあり、この受板３１上に体重計１５が載置してある。体重計収納凹所１６の底部２９に下開口３２が設けてあり、受板３１から垂下した体重計収納台ロック手段２１を構成するストッパ用突片が下開口３２から下方に突出しており、体重計１５に荷重をかけない状態では上記ばね３０のばね力により体重計１５を載置した受板３１が上方に移動してストッパ用突片の下端が床面１２よりも上方に位置していて体重計収納台１４はキャスタ１３による移動が可能となっている。一方、体重を計測するために体重計１５に人が乗って荷重をかけると図９に示すようにばね３０が縮められて受板３１が上方に移動してストッパ用突片の下端が床面１２に当接することで、キャスタ１３による体重計収納台１４の移動ができなくなり、安定して体重の測定ができる。
【図面の簡単な説明】
【００３２】
【図１】（ａ）は本発明の椅子ユニットを収納してロックした状態の断面図であり、（ｂ）は前部材とストッパ部材の関係を示す側面図である。
【図２】（ａ）は同上の椅子ユニットを収納してロック解除した状態の断面図であり、（ｂ）は前部材とストッパ部材の関係を示す側面図である。
【図３】同上の椅子ユニットを収納した状態の斜視図である。
【図４】同上の椅子ユニットを引出した状態の斜視図である。
【図５】（ａ）は前部材の斜視図であり、（ｂ）は同上の引出しロック部を示す斜視図であり、（ｃ）は引出しのロックを解除した状態の説明図であり、（ｄ）は引出しをロックした状態の説明図である。
【図６】同上の体重計収納台を引出した状態の斜視図である。
【図７】同上の体重計収納台の蓋兼踏板に人が乗って踏み台として使用している状態を示す斜視図である。
【図８】同上の体重計収納台の分解斜視図である。
【図９】（ａ）は同上の体重計に人が乗っていない状態の断面図であり、（ｂ）は体重計に人が乗った状態の断面図である。
【図１０】同上の引出しをロックしない場合に引出しが前にスライドして椅子ユニットが傾くことを説明する説明図である。
【符号の説明】
【００３３】
１  洗面化粧台
２  キャビネット
３  収納部
４  椅子ユニット
５  引出し収納部
６  引出し
７  前部材
８  椅子用ロック部
９  椅子用被ロック部
１０  引出しロック部
１１  キャスタ
１２  床面
１３  キャスタ
１４  体重計収納台
１５  体重計
１６  体重計収納凹所
１７  蓋兼踏板
１８  上開口
１９  脚片
２０  ばね材
２１  体重計収納台ロック手段
【図１】
0004577208.tif 000002
【図２】
0004577208.tif 000003
【図３】
0004577208.tif 000004
【図４】
0004577208.tif 000005
【図５】
0004577208.tif 000006
【図６】
0004577208.tif 000007
【図７】
0004577208.tif 000008
【図８】
0004577208.tif 000009
【図９】
0004577208.tif 000010
【図１０】
0004577208.tif 000011